(57)【要約】【課題】パネル体を支柱間に取り付けて形成されるフェンスにおいて、パネル体を容易且つ安定して固定でき、更には安全にパネル体の取り付けを行うことができるフェンスの形成方法を提供する。【解決手段】下レール２に備えられたパネル受け溝２２にパネル体４の下端を嵌挿し、その状態で上支持材５に備えられた嵌合溝５１にパネル体４の上端を嵌着し、上支持材５を支柱１に固定してパネル体４を固定できることで、パネル体４を持ち上げたまま取付金具等を取り付ける必要がなく、またパネル体４を取り付ける際には、その下端を少なくとも下レール２の上面まで持ち上げればよく、パネル体４の取り付けは安全で且つ容易なものとなる。またパネル体４は下レール２及び上支持材５により上下から把持され、またパネル受け溝２２及び嵌合溝５１に嵌着されていることで、その他の手間や部材を必要とすることなくパネル体４は安定して固定できる。【選択図】図８
2004257100.tif 000002
【特許請求の範囲】
【請求項１】
立設された２本の支柱にパネル体が取り付けられて形成されるフェンスの取付構造であって、前記２本の支柱には、上方に開口したパネル受け溝を備えた下レールが差し渡して取り付けられ、前記パネル受け溝にパネル体の下端が摺動可能に嵌挿された後、パネル体の上端部が嵌挿可能な下方に開口した嵌合溝を備えた上支持材がパネル体の上端部に摺動可能に嵌着され、該上支持材が支柱に固定されることを特徴とするフェンスの形成方法。
【請求項２】
下レールは、略前記２本の支柱間の長さとなされ、且つ支柱に取り付けられたブラケットに覆い被されるように取り付けられることを特徴とする請求項１に記載のフェンスの形成方法。
【請求項３】
２本の支柱は、相対向する面に縦支持材が取り付けられ、該縦支持材により下レールに嵌挿されたパネル体がフェンスの一方の側から他方の側に倒れるのを防止するようになされたことを特徴とする請求項１又は２に記載のフェンスの形成方法。
【請求項４】
縦支持材は、断面略Ｌ字状の部位を有するものであって、前記Ｌ字状の部位の一辺が支柱に取り付けられ、他辺がパネル体が倒れるのを防止するものであることを特徴とする請求項３に記載のフェンスの形成方法。
【請求項５】
縦支持材は、支柱に刻設された取付溝により摺動可能に取り付けられるものであることを特徴とする請求項３又は４に記載のフェンスの形成方法。
【請求項６】
縦支持材は、押縁が嵌挿可能な押縁溝が刻設され、前記押縁を前記押縁溝に嵌挿して縦支持材及び押縁によりパネル体が挟持されることを特徴とする請求項４又は５に記載のフェンスの形成方法。
【請求項７】
フェンスは、上端付近に笠木が取り付けられたものであって、該笠木は支柱の上端付近に取り付けられた笠木支持材を介して支柱に取り付けられるものであることを特徴とする請求項１〜６のいずれかに記載のフェンスの形成方法。
【請求項８】
笠木は複数本連続して設けられるものであって、該複数本の笠木は笠木スリーブにより摺動可能に接続され、前記笠木には笠木スリーブと笠木支持材との間に挟持される挟持部が設けられ、笠木スリーブが笠木支持材に固定されることで笠木が支柱に固定されることを特徴とする請求項７に記載のフェンスの形成方法。
【請求項９】
笠木支持材は、上方に開口したケーブル受け溝が形成されているものであることを特徴とする請求項７又は８に記載のフェンスの形成方法。
【請求項１０】
パネル体は、太陽電池パネルであることを特徴とする請求項１〜９のいずれかに記載のフェンスの形成方法。
【請求項１１】
太陽電池パネルは、両面受光型のものであることを特徴とする請求項１０に記載のフェンスの形成方法。
【請求項１２】
太陽電池パネルは、透光性の合成樹脂板により太陽電池セルを支持しているものであることを特徴とする請求項１０又は１１に記載のフェンスの形成方法。
【請求項１３】
太陽電池パネルは、水平面に対し７０度〜１１０度の角度となされていることを特徴とする請求項１０〜１２のいずれかに記載のフェンスの形成方法。
【請求項１４】
請求項１〜９に記載のフェンスの形成方法により形成されたことを特徴とするフェンス。
【請求項１５】
請求項１０〜１３に記載のフェンスの形成方法により形成されたことを特徴とする太陽電池付きフェンス。
【発明の詳細な説明】
【０００１】
【発明の属する技術分野】
本発明は、支柱間にパネルを取り付けることで形成されるフェンスの形成方法、フェンス及び太陽電池付きフェンスに関するものである。
【０００２】
【従来の技術】
支柱間にパネルを取り付けてフェンスを形成するのは極一般的に用いられる方法であり、またその方法の簡略化や、パネルの着脱を容易にする方法について、種々の方法が提案されてきている。
【０００３】
例えば特許文献１においては、一定の間隔に配置される支柱と、隣り合う支柱間に支持されたパネル体とを備えるフェンスにおいて、上記隣り合う支柱の対向面には上記パネル体を嵌合して支持する受け部材を上下に取り付け固定するとともに、これらの受け部材に対し上記パネル体を剣呑式にはめ込むようにしたパネル体の取付構造が開示されている。
【０００４】
また特許文献２においては、複数の支柱が立設されており、該支柱の各々の上端に掛け渡して手摺りが取り外し可能に配設されており、隣り合う前記支柱間に矩形上の太陽電池パネルを取り付けた取付構造であって、前記支柱の側面に溝が形成されており、該溝に前記太陽電池パネルの一縁部を嵌挿させて支持し、前記手摺りを取り外すことにより着脱自在となるべく前記太陽電池パネルを取り付けるようにした太陽電池パネルの取付構造が開示されている。
【０００５】
【特許文献１】
特開２０００−１７９１９１号公報
【０００６】
【特許文献２】
特開２００１−３２３６２５号公報
【０００７】
【発明が解決しようとする課題】
しかしながら、特許文献１に記載される如きパネル体の取付構造では、パネル体の上端と受け部材との間に間隔が開くことで、風圧や振動に対してパネル体が不安定な状態となり、パネル体を受け部材に固定して安定させるのに手間や部材を要するものであった。
【０００８】
また特許文献２に記載される如き太陽電池パネルの取付構造では、太陽電池パネルの一縁部を支柱の側面に形成された溝に嵌挿するのに、太陽電池パネル下端を少なくとも支柱の上端まで持ち上げる必要があり、重量のあるパネル体の取付を行うには作業に危険を伴うものであった。
【０００９】
本発明は上記の如き問題点に鑑みてなされたものであり、パネル体を支柱間に取り付けて形成されるフェンスにおいて、パネル体を容易且つ安定して固定でき、更には安全にパネル体の取り付けを行うことができるフェンスの形成方法を提供せんとするものである。
【００１０】
【課題を解決するための手段】
上記課題を解決するため、本発明は以下のような構成としている。すなわち、本発明に係わるフェンスの形成方法は、立設された２本の支柱にパネル体が取り付けられて形成されるフェンスの取付構造であって、前記２本の支柱には、上方に開口したパネル受け溝を備えた下レールが差し渡して取り付けられ、前記パネル受け溝にパネル体の下端が摺動可能に嵌挿された後、パネル体の上端部が嵌挿可能な下方に開口した嵌合溝を備えた上支持材がパネル体の上端部に摺動可能に嵌着され、該上支持材が支柱に固定されることを特徴とするものである。
【００１１】
本発明によれば、下レールに備えられたパネル受け溝にパネル体の下端を嵌挿し、その状態で上支持材に備えられた嵌合溝にパネルの上端を嵌着し、上支持材を支柱に固定してパネル体を固定できることで、パネル体を持ち上げたまま取付金具等を取り付ける必要がなく、またパネル体を取り付ける際にはその下端を少なくとも下レールの上面まで持ち上げればよく、パネル体の取り付けは安全で且つ容易なものとなる。またパネル体は下レール及び上支持材により上下から把持され、またパネル受け溝及び嵌合溝に嵌着されていることで、手間や部材を必要とすることなくパネル体は安定して固定される。更にまた、パネル体はパネル受け溝及び嵌合溝に摺動可能に嵌着されていることで、パネル体の固定後又は仮固定後にパネル体を摺動させて位置合わせでき、パネル体の取り付けはより容易なものとなる。
【００１２】
更にパネル体の前面や背面を、パネル体の取り付けに係わる部材類が覆わないようにすることができ、フェンスの外観を良好にできると共に、パネル体への音波や光線の入射を妨げることがなく、パネル体が有する機能を損ねることがない。
【００１３】
また前記下レールは、略前記２本の支柱間の長さとなされ、且つ支柱に取り付けられたブラケットに覆い被されるように取り付けられるものであれば、最も負荷の大きい支柱との接続部に強度の高いブラケットを用い、下レール全体を強度の高いものとする必要がなくなり、下レールの形成に係わる材料を節減し、コストや重量の軽減に繋がる。また下レールがブラケットに覆い被さるように取り付けられることで、下レールはブラケットに安定して取り付けられると共に、下レールによりブラケットは覆い隠されて外観は良好なものとなる。
【００１４】
また前記２本の支柱は、相対向する面に縦支持材が取り付けられ、該縦支持材により下レールに嵌挿されたパネル体がフェンスの一方の側から他方の側に倒れるのを防止するようになされていれば、他方の側へのパネル体の倒れ込みが起こる恐れがなくなり、例えばビルの屋上や高架橋の擁壁上等、倒れ込みが絶対的に許容されない箇所に設置する場合においても適用可能となる。
【００１５】
また縦支持材は、断面略Ｌ字状の部位を有するものであって、前記Ｌ字状の部位の一辺が支柱に取り付けられ、他辺がパネル体が倒れるのを防止するものであれば、強固で且つ簡便にパネル体の倒れ込みを防止する縦支持材を形成できる。
【００１６】
更にまた前記縦支持材は、支柱に刻設された取付溝により摺動可能に取り付けられるものであれば、フェンスの端部一方の如き、縦支持材を設ける必要がない箇所において縦支持材を省略するのが容易である。また設置現場において、支柱の建て込みと縦支持材の取り付けを同時に行え、現地の状況に応じて縦支持材による前記一方の側及び他方の側の設定を行うことができる。また取付溝に摺動可能に取り付けられることで、ボルト締め等を行うことなく縦支持材の取り付けが可能となる。
【００１７】
更にまた前記縦縦支持材は、押縁が嵌挿可能な押縁溝が刻設され、前記押縁を前記押縁溝に嵌挿して縦支持材及び押縁によりパネル体が挟持されれば、パネル体は下レール及び上支持材により上下方向において挟持されるのに加え、縦支持材及び押縁により左右方向においても挟持され、パネル体はより安定して固定されるものとなる。更にパネル体は縦支持材及び押縁により挟持されているから、上述の温度変化、風圧等によるパネル体の伸縮、変形の吸収を妨げることがない。
【００１８】
また本発明に係わるフェンスは、上端付近に笠木が取り付けられたものであって、該笠木は支柱の上端付近に取り付けられた笠木支持材を介して支柱に取り付けられるものであることが好ましく、笠木によりフェンスの上端部が覆われて外観が良好になされると共に、歩行者等がフェンス上端部に接触したときに安全である。また笠木支持材が介在することにより、笠木単体の長さが種々のものであっても支柱のスパンに係わらず取り付けが可能となる。
【００１９】
また前記笠木は複数本連続して設けられるものであって、該複数本の笠木は笠木スリーブにより摺動可能に接続され、前記笠木には笠木スリーブと笠木支持材との間に挟持される挟持部が設けられ、笠木スリーブが笠木支持材に固定されることで笠木が支柱に固定されていれば、例えば複数本の内の一本の笠木を取り外す場合でも笠木スリーブと笠木支持材との固定を緩める等により、他の笠木を動かすことなく取り外すことができ、笠木内部のメンテナンスや、笠木部材の交換等の便宜を図ることができる。
【００２０】
また前記笠木支持材は、上方に開口したケーブル受け溝が形成されているものであれば、笠木やパネル体に係わるケーブルをケーブル受け溝に挿入した状態でフェンスを形成することができ、ケーブルが取り付けの妨げになる恐れを小さくできる。
【００２１】
また前記パネル体は、太陽電池パネルであれば、太陽電池パネルはとりわけ保護部材となるガラス板等により重量が嵩むものとなり、持ち上げたり位置合わせを行うのに大きな労力を要し、また取り付けにおける安全性が重要視されるものである。かかるパネル体の取り付けにおいて、上述の如き持ち上げる高さが少なく安全性が高くでき、また位置合わせも容易である本発明フェンスの取付方法を適用することで、パネル体の取り付けにおける効果はより顕著なものとなり得る。
【００２２】
また前記太陽電池パネルは、両面受光型のものであれば、立設されるフェンスに両面から照射される太陽光を活用して発電でき、フェンスは設置される方角に係わらず高い効率で発電するものとできる。
【００２３】
更にまた前記太陽電池パネルは、透光性の合成樹脂板により太陽電池セルを支持しているものであれば、ガラスより線膨張率が大きく温度変化により生じる合成樹脂板の大きい膨張収縮を吸収することができ、かかる取付方法による効果はより顕著なものとなり得る。
【００２４】
更にまた前記太陽電池パネルは、水平面に対し７０度〜１１０度の角度となされていれば、下レールにパネル体を安定して嵌挿させることができ、本発明フェンスの取付方法を好適に適用することができる。
【００２５】
また本発明に係わるフェンスは、本発明請求項１〜９に記載のフェンスの形成方法により形成されたことを特徴とするものである。
【００２６】
本発明によれば、上述の如くまたパネル体は下レール及び上支持材により上下から挟持され、またパネル受け溝及び嵌合溝に嵌着されていることで、パネル体が安定して固定されていると共に、パネル体はパネル受け溝及び嵌合溝に摺動可能に嵌着されていることで、温度変化、風圧等によりパネル体が伸縮、変形してもその変化を吸収できる。
【００２７】
また本発明に係わる太陽電池付きフェンスは、本発明請求項１０〜１３に記載のフェンスの形成方法により形成されたことを特徴とするものである。
【００２８】
本発明によれば、太陽電池パネルはとりわけ保護部材となるガラス板等により重量が嵩むものとなり、また落下や衝撃等による破損が懸念されるものであるから、安全に取り付けが行え、且つ安定してパネル体を固定できる本発明フェンスの取付方法が好適に適用されるものである。
【００２９】
【発明の実施の形態】
本発明の実施の形態について、図面に基づき以下に具体的に説明する。
図１〜図１３は、本発明に係わるフェンスの形成方法の、実施の一形態を示すものである。まず図１の斜視図ａ）に示す如く、予め立設された構造体Ｋの上方から支柱カバー１１が、構造体Ｋの周囲に被せられて取り付けられ支柱１が形成される。支柱カバー１１はｂ）に示す如き断面形状であり、中空部Ｃに構造体Ｋが挿通され、相反する外面に取付溝１２が刻設されている。更に上下面からのビス止め用のビス穴１３が設けられている。
【００３０】
フェンスを形成するにおいては、支柱１が形成可能であれば特に構造体Ｋを用いる必要はないが、取付溝１２やビス穴１３等複雑な断面形状を設けるに当たってはアルミニウム等の押出型材を用いるのが好適であり、支柱１として立設が困難な場合があることから、構造体Ｋを用いるのが好ましい。また支柱カバー１１に着色や装飾等を施せば美観を高めることもできる。
【００３１】
次に図２において、斜視図ａ）に示す如く支柱１の外面に刻設された取付溝１２内をブラケット２１が摺動されて取り付けられる。ブラケット２１は、斜視図ｂ）に示す如く形状となされており、取付溝１２に取り付けられるプレート部２１２にブラケット部２１１が取り付けられ、プレート部２１２には貫通孔２１３が穿設されている。本図ａ）に示す如く摺動して取付溝１２に取り付けられたブラケット２１は、プレート部２１２の下端が支柱１の下端に達したところで貫通孔２１３に螺着可能なボルト等の締結手段Ｔ１により支柱１に固定される。尚、貫通孔２１３と、支柱カバー１１及び構造体Ｋに、固定時において略同一の位置に貫通孔を穿設しておき、締結手段Ｔ１によりブラケット２１、支柱カバー１１及び構造体Ｋが同時に固定されるようにしてもよい。またフェンスの末端においては、ブラケット２１に替えて本図ｃ）に示す如き断面形状のカバー材Ｂが取付溝１２に摺動されて取り付けられ、締結手段Ｔ１により固定されればフェンスの外観がすっきりしたものとなり得る。
【００３２】
続いて図３において、支柱１間と略同一の長さとなされた下レール２が支柱１間に差し渡して取り付けられる。斜視図ａ）に示す如く、ブラケット２１の上方から下レール２は取り付けられるが、断面図ｂ）に示す下レール２の断面形状とブラケット２１の断面形状とにより、下レール２はブラケットに覆い被されるように取り付けられる。下レール２には上方に開口したパネル受け溝２２が設けられ、パネル体が摺動可能に嵌挿されるようになされている。
【００３３】
更に図４において、支柱１に縦支持材３が取り付けられる。縦支持材３は斜視図ａ）に示す如く、ブラケット２１と同様に支柱１の取付溝１２に摺動されて取り付けられ、締結手段Ｔ２により固定される。縦支持材３は断面図ｂ）に示す如き断面形状となされており、取付溝１２に嵌挿可能な取付部３１、押縁が挿通される押縁溝３２、パネルの取り付け時の緩衝や取り付け後の動揺を抑えるビード材３３が設けられ、部位Ｌ１及び部位Ｌ２により断面略Ｌ字状の部位が形成されている。かかる断面略Ｌ字状の部位において、部位Ｌ２が支柱１に取り付けられ、部位Ｌ１がパネル体が取り付けられた場合にパネル体が倒れ込むのを防止する。
【００３４】
更に図５において、パネル体４が取り付けられる。パネル体４には、落下防止用や太陽電池パネルにおける電力線等であるケーブル４１が接続されている。パネル体４は、その下端が下レール２に設けられたパネル受け溝２２に摺動可能に嵌着されるが、パネル体４の下端を支柱１の上端まで持ち上げる必要がなく、下レール２の上面程度だけまで持ち上げることでパネル体４の取り付けは可能となる。またフェンスの取付側αと反対側に倒れ込むのを、縦支持材３が防止することでパネル体４の取り付けは安全に行うことができる。
【００３５】
ここでパネル体４は特に限定されるものではなく。単板、積層板や、透光板等の周囲に枠体を形成したもの、縦又は横格子パネル、メッシュ状に線材を巡らせたパネル、装飾パネル、防音パネル等でもよく、金属曲げ板や金属鋳物を用いて形成パネル、太陽電池パネル等の重量の嵩むパネルの取り付けにおいて、かかる形成方法は好適に用いることができる。
【００３６】
更に図６において、斜視図ａ）に示す如く縦支持材３に刻設された押縁溝３２に押縁３４が取り付けられる。押縁３４は断面図ｂ）に示す如き断面形状であり、縦支持材３の押縁溝３２内で摺動されて取り付けられる。押縁３４が取り付けられた状態のＡ−Ａ断面図をｃ）に示すが、支柱１に刻設された取付溝１２に取り付けられた縦支持材３には胴縁３４が取り付けられ、縦支持材３及び胴縁３４の間にパネル体４の端部が挟持されている。更に縦支持材３及び胴縁３４に取り付けられ、それぞれとパネル体４との間に設けられた弾性体からなるビード材３３及び３５により、パネル体４は取り付け後に動揺するのが防止されている。またパネル体４に接続されたケーブル４１は、支柱１に予め穿設された貫通孔１４に挿通され、支柱１の中空部内に挿通される。
【００３７】
更に続いて、図７においてパネル体４の上端部に上支持材が取り付けられる。斜視図ａ）に示す如く、上支持材５はパネル体４の上端に摺動可能に嵌着され、更に支柱１に対して締結手段Ｔ３により固定される。パネル体４及び上支持材５の上方には、下方に開口した開口溝を有するパネル笠木５２を嵌着し、パネル体４の保護を図ったりフェンスの外観を良好なものとしてもよい。上支持材５は斜視図ｂ）に示す如き形状で一体に形成されており、下方に開口した嵌合溝５１を備え、取付部５３に締結手段Ｔ３が挿通可能な貫通孔５４が穿設されている。
【００３８】
かかる開口溝５１にパネル体４の上端が嵌着され、取付部５３において締結手段Ｔ３により支柱１に上支持材５が固定された時点で、図７のＢ−Ｂ断面図である図８に示す如く、パネル体４は下レール２のパネル受け溝２２と上支持材５の嵌合溝５１により上下から把持され、上下方向はもとより取付側α及びその反対側方向に対しても、仮に縦支持材３及び胴縁３４が取り付けられていない場合においても安定して固定される。
【００３９】
更に図９に示す如く、支柱１の取付溝１２に押さえ板Ｐが摺動されて取り付けられ、貫通孔Ｐ１に締結手段Ｔ４が挿通されて押さえ板Ｐが支柱１に固定されることで、押さえ板Ｐより先に取付溝１２に摺動されて取り付けられた部材及びパネル体４は上下に動くことがなくなり、振動や風圧等によりパネル体４が動揺するのを防止できる。
【００４０】
更に続いて、図１０において支柱１の上端に笠木支持材が取り付けられる。斜視図ａ）において、笠木支持材６はパネル体４に接続されたケーブル４１を挿通可能な上下方向への貫通孔６１が穿設され、更に上下方向に支柱１への取付用の貫通孔６２、笠木スリーブ取付用の長孔となされた貫通孔６３が穿設されている。かかる貫通孔６２に締結手段Ｔ４が挿通され、締結手段Ｔ４が支柱１のビス孔１３に螺着されることで、笠木支持材６は支柱１に固定される。笠木支持材６は断面図ｂ）に示す如き形状となされ、上方に開口したケーブル受け溝６４が形成されたもので、貫通孔６１を挿通させたケーブル４１をケーブル受け溝６４内に配置した状態で取り付けに係わる作業が行え、取り付けに係わる便宜が図られる。
【００４１】
更に図１１において、笠木支持材６の上に笠木が取り付けられる。笠木８の中空部に笠木スリーブ７が挿入され、笠木支持材６に穿設された長孔である貫通孔６３に挿通された締結手段Ｔ６により笠木スリーブ７が笠木支持材６に固定され、笠木８及び笠木スリーブ７は笠木支持材６を介して支柱１に取り付けられる。
【００４２】
笠木８、笠木スリーブ７及びその取り付けの詳細を示す断面図が図１２である。笠木スリーブ７はａ）に示す如き上面が円弧状で下面は開口された断面形状となされ、下方に形成された取付部７１には締結手段Ｔ６が螺着される貫通孔７１が穿設され、また切欠き部７３が形成されている。笠木８も笠木スリーブ７と同様、ｂ）に示す如き上面が円弧状で下面は開口された断面形状となされ、中空部８１は笠木スリーブ７が挿入されて摺動可能な形状となされている。また下端付近の内面側には挟持部８２が形成されている。
【００４３】
笠木８、笠木スリーブ７はｃ）に示す如く笠木支持材６に取り付けられる。笠木スリーブ７の切欠き部７３に笠木８の挟持部８２が嵌合され、貫通孔６３及び７２に締結手段Ｔ６が螺着されて笠木スリーブ７は笠木支持材６に固定されることで笠木８は支柱１に固定される。締結手段Ｔ６は下孔に螺着されるビスでもよく、貫通孔７２にねじ山を螺刻しておきボルトを螺着するものであってもよい。
【００４４】
かかる構造とすれば、図１３に示す如く、複数本連続して笠木８Ａ、８Ｂが設けられ、笠木８Ａのみを取り外すそうとするときに、締結手段Ｔ６を緩めて笠木８及び笠木スリーブ７を摺動自在な状態とし、笠木スリーブ７を図１０に示した長孔である貫通孔６３の範囲内で方向ａに摺動させて位置をずらし、更に笠木８を方向ｂに摺動させて位置をずらすことで、笠木８Ｂや笠木スリーブ７を取り外すことなく笠木８Ａのみを取り外すことができ、取り付けの際にも笠木８Ａを笠木スリーブ７に摺動させて元の位置に取り付け、締結手段Ｔ６を締め付けることで固定でき、笠木８内のケーブル４１等の一部分のメンテナンスを行う必要がある場合でも、取り外す笠木８は必要最低限のものとなり、メンテナンス性を向上させることができる。
【００４５】
図１４は、本発明に係わるパネル体の実施の一形態を示すもので、パネル体であるモジュール化された太陽電池パネルの説明図である。正面図ａ）に示す如く、太陽電池パネル４Ａは僅かに間隔をおいて配置した太陽電池セルＳを導電線Ｅで接続し、太陽光の照射により発電された電力を端子ボックスＴを介してケーブル４１により外部に出力するものである。ａ）のＣ線断面図をｂ）に示すが、太陽電池セルＳ及び導電線ＥはＥＶＡ等を用いた封止材Ｆにより封止されて複数の保護部材Ｈの間に配置される。保護部材Ｈは太陽電池セルＳへの太陽光の入射が妨げられない透光性のものであれば特に限定されるものではなく、ガラスや透光性の合成樹脂等が用いられるが、パネルの短辺が、例えば５００ｍｍ以上となるような大型のパネル体になると、保護部材Ｈにガラスを用いた場合はもとより、合成樹脂を用いた場合においても重量が嵩むものとなる。かかる重量が嵩むパネル体において、本発明に係わるフェンスの形成方法は好適に適用することができる。
【００４６】
更にパネル体は、図１５に示す如きものであってもよい。太陽電池パネル４Ｂは、図１４に示した如き太陽電池モジュールの周囲に枠体Ｗを形成し、太陽電池セルＳに太陽光が照射されることで発電された電力を導電線Ｅを通じてケーブル４１により出力するものである。太陽電池モジュールの周囲に枠体Ｗを形成して太陽電池パネル４Ｂを形成することで、パネル体として強固なものとなり、更には取り付け時においてもパネル体の変形が抑えられ、パネル体の取り付けは容易なものとなる。
【００４７】
図１４及び図１５に示すの如き太陽電池パネルを形成するのに用いる太陽電池セルは両面受光型のものであってもよい。片面受光型のものであれば、フェンスが東西方向に立設されれば高い発電効率が得られるが、南北方向に設置された場合、その発電効率は極端に低下する。太陽電池セルが両面受光型のものであれば、フェンスがどの様な方向に立設されても高い発電効率を維持することができる。
【００４８】
更に太陽電池パネルは、水平面に対し７０度〜１１０度の角度で設置されるものであれば、フェンスとしての機能を損なうことなく、また本発明に係わるフェンスの形成方法を適用するのが容易である。
【００４９】
【発明の効果】
本発明によれば、下レールに備えられたパネル受け溝にパネル体の下端を嵌挿し、その状態で上支持材に備えられた嵌合溝にパネルの上端を嵌着し、上支持材を支柱に固定してパネル体を固定できることで、パネル体を持ち上げたまま取付金具等を取り付ける必要がなく、またパネル体を取り付ける際にはその下端を少なくとも下レールの上面まで持ち上げればよく、パネル体の取り付けは安全で且つ容易なものとなる。またパネル体は下レール及び上支持材により上下から把持され、またパネル受け溝及び嵌合溝に嵌着されていることで、手間や部材を必要とすることなくパネル体は安定して固定される。更にまた、パネル体はパネル受け溝及び嵌合溝に摺動可能に嵌着されていることで、パネル体の固定後又は仮固定後にパネル体を摺動させて位置合わせでき、パネル体の取り付けはより容易なものとなる。
【図面の簡単な説明】
【図１】本発明に係わるフェンスの形成方法の、実施の一形態を示す説明図である。
【図２】本発明に係わるフェンスの形成方法の、実施の一形態を示す説明図である。
【図３】本発明に係わるフェンスの形成方法の、実施の一形態を示す説明図である。
【図４】本発明に係わるフェンスの形成方法の、実施の一形態を示す説明図である。
【図５】本発明に係わるフェンスの形成方法の、実施の一形態を示す説明図である。
【図６】本発明に係わるフェンスの形成方法の、実施の一形態を示す説明図である。
【図７】本発明に係わるフェンスの形成方法の、実施の一形態を示す説明図である。
【図８】図７のＢ−Ｂ断面図である。
【図９】本発明に係わるフェンスの形成方法の、実施の一形態を示す説明図である。
【図１０】本発明に係わるフェンスの形成方法の、実施の一形態を示す説明図である。
【図１１】本発明に係わるフェンスの形成方法の、実施の一形態を示す説明図である。
【図１２】本発明に係わるフェンスにおける笠木の取り付けを示す断面図である。
【図１３】本発明に係わるフェンスにおける笠木の取り外しを示す説明図である。
【図１４】本発明に係わる太陽電池パネルの、実施の一形態を示す説明図である。
【図１５】本発明に係わる太陽電池パネルの、他の実施形態を示す説明図である。
【符号の説明】
１    支柱
１１  支柱カバー
１２  取付溝
２    下レール
２１  ブラケット
２２  パネル受け溝
３    縦支持材
３４  押縁
４    パネル体
４１  ケーブル
４Ａ、４Ｂ  太陽電池パネル
５    上支持材
５１  嵌合溝
６    笠木支持材
６４  ケーブル受け溝
７    笠木スリーブ
８    笠木
８２  挟持部
Ｋ    構造体
Ｃ    中空部
Ｌ１  他辺
Ｌ２  Ｌ字状の一辺
Ｓ    太陽電池セル
Ｈ    保護部材
Ｗ    枠体
【図１】
2004257100.tif 000003
【図２】
2004257100.tif 000004
【図３】
2004257100.tif 000005
【図４】
2004257100.tif 000006
【図５】
2004257100.tif 000007
【図６】
2004257100.tif 000008
【図７】
2004257100.tif 000009
【図８】
2004257100.tif 000010
【図９】
2004257100.tif 000011
【図１０】
2004257100.tif 000012
【図１１】
2004257100.tif 000013
【図１２】
2004257100.tif 000014
【図１３】
2004257100.tif 000015
【図１４】
2004257100.tif 000016
【図１５】
2004257100.tif 000017